(57)【要約】【課題】長期にわたり使用可能な耐久性を有し、商品として十分な価値を備えた紙製のスマートデバイス用スタンドを提供する。【解決手段】主板１１、底板１２、支持板１３及び載置板１４を含む厚さ０．８ｍｍ以上の板紙からなり、主板１１の下方には底板１２が連続し、底板１２の下方には支持板１３が連続し、支持板１３の下方には載置板１４の基部１４ａが連続し、主板１１と底板１２との境界は第１半切線ＨＣ１によって画定され、底板１２と支持板１３との境界は第２半切線ＨＣ２によって画定され、第１及び第２半切線ＨＣ１、ＨＣ２は、いずれも板紙の第１面上に形成され、載置板１４の基部１４ａは、載置板１４の他の部分よりも横幅が狭く、主板１１には、上部の横幅が広く下部の横幅が狭い、左右に段状輪郭を有する長孔１１１が形成され、長孔１１１の上部の横幅は、載置板１４の横幅よりも広く、長孔１１１の下部の横幅は、載置板１４の基部１４ａの横幅とほぼ等しい。【選択図】図１
2018113634.tif 000002
【特許請求の範囲】
【請求項１】
スマートデバイスを支えるためのスタンドであって、
厚さ０．８ｍｍ以上の板紙からなり、
前記スマートデバイスの正面又は背面を支えるための主板と、
前記スタンドの底面を構成する底板と、
前記主板を背後から支えて傾斜した状態で立たせる支持板と、
前記スマートデバイスの上部、下部、左側部又は右側部のうちの一か所が載置される載置板と、を含み、
前記主板を基準に上下左右を定義した場合に、
前記主板の下方には、前記底板が連続し、
前記底板の下方には、前記支持板が連続し、
前記支持板の下方には、前記載置板の基部が連続し、
前記主板と前記底板との境界は、第１半切線によって画定され、
前記底板と前記支持板との境界は、第２半切線によって画定され、
前記第１及び第２半切線は、いずれも前記板紙の第１面上に形成され、
前記載置板の基部は、前記載置板の他の部分よりも横幅が狭く、
前記主板には、上部の横幅が広く下部の横幅が狭い、左右に段状輪郭を有する長孔が形成され、前記長孔の上部の横幅は、前記載置板の横幅よりも広く、前記長孔の下部の横幅は、前記載置板の基部の横幅とほぼ等しい、スマートデバイス用スタンド。
【請求項２】
前記載置板が、
前記載置板の中央に形成された第３半切線と、
前記第３半切線を軸にして前記載置板の基部と対称的に設けられた第２基部と、
前記第２基部の下方に連続し、前記第２基部よりも横幅の広い抜止板と、を含み、
前記第３半切線が、前記板紙の第１面上に形成された、請求項１に記載のスマートデバイス用スタンド。
【請求項３】
前記長孔の左右の段状輪郭の頂部が、前記長孔の内側に向かって僅かに突出し、
前記載置板の基部（又は前記載置板の基部及び第２基部）が、前記頂部を乗り越えて前記長孔の下部と結合する、請求項１又は２に記載のスマートデバイス用スタンド。
【請求項４】
前記主板の左右のいずれか一方に連続する補強板をさらに含み、
前記補強板には、前記主板の長孔に対応する第２長孔が形成され、
前記主板と前記補強板との境界は、第４半切線によって画定され、
前記第４半切線が、前記板紙の第１面上に形成された、請求項１〜３のいずれか１項に記載のスマートデバイス用スタンド。
【請求項５】
前記板紙が、厚さ０．８ｍｍ以上の単紙である、請求項１〜４のいずれか１項に記載のスマートデバイス用スタンド。
【請求項６】
前記板紙が、厚さ０．８ｍｍ以上の合紙である、請求項１〜４のいずれか１項に記載のスマートデバイス用スタンド。
【請求項７】
少なくとも前記主板の第１面にデザインが印刷された、請求項１〜６のいずれか１項に記載のスマートデバイス用スタンド。
【請求項８】
少なくとも前記主板の輪郭形状が、前記主板の第１面に印刷されたデザインと関連性をもってデザインされた、請求項７に記載のスマートデバイス用スタンド。
【請求項９】
前記主板の第１面に印刷されたデザインと、前記主板の輪郭形状とが一つのキャラクターデザインを構成する、請求項８に記載のスマートデバイス用スタンド。
【請求項１０】
前記主板の第１面に印刷されたデザインと、前記主板の輪郭形状と、前記補強板の第１面に施された印刷とが一つのキャラクターデザインを構成する、請求項９に記載のスマートデバイス用スタンド。
【発明の詳細な説明】
【技術分野】
【０００１】
本発明は、スマートフォン、タブレット端末、電子書籍リーダー、デジタルオーディオプレイヤー、携帯型ゲーム機などのスマートデバイスを支えるためのスタンドに関する。特に、本発明は、デザインの自由度が高く、デザインの異なる多数のバリエーションの商品を簡単、迅速且つ安価に市場に投入することが可能な紙製のスマートデバイス用スタンドに関する。
【背景技術】
【０００２】
スマートフォンやタブレット端末等のスマートデバイスを支えるためのスタンドとしては、例えば、特許文献１〜８で提案されているような構成のものがある。
【０００３】
特許文献１、３、４には、合成樹脂製の帯体の中にスチール製の芯体を挿入したスタンドが提案されている。特許文献１、３、４のスタンドは、吸盤によってスマートフォンの背面に吸着され、有端輪形に曲げられて支持体を構成する。このような特許文献１、３、４のスタンドは、手で曲げることが可能な柔らかい金属と合成樹脂とで製造される。
【０００４】
特許文献２には、長方形状のベースフィルムからなるスタンドが提案されている。ベースフィルムは、粘着物によってスマートフォンの背面に粘着され、スマートフォンを支えるスタンドを構成する。このような特許文献２のスタンドは、合成樹脂の薄いフィルムによって製造される。
【０００５】
特許文献５には、箱型の立てかけ収容部に、ＵＳＢケーブルのコネクタ、イヤホンジャックの挿入口及び立て脚を設けたスタンドが提案されている。立てかけ収容部にスマートフォンを収容すると、ＵＳＢケーブルのコネクタがスマートフォンに接続され、スマートフォンが充電される。挿入口を介して、イヤホンジャックをスマートフォンに接続することができ、音楽を聴くこともできる。このような特許文献５のスタンドは、金属、合成樹脂又は木のいずれか一つ以上によって製造される。
【０００６】
特許文献６には、スマートフォンの液晶画面を拡大することが可能なスタンドが提案されている。特許文献６のスタンドは、拡大レンズが設けられた枠体と、スマートフォンの押さえ部が設けられた台座とを備える。スマートフォンは、台座の押さえ部によって自立され、枠体の拡大レンズによって液晶画面が拡大される。このような特許文献６のスタンドは、枠体を自立させる剛性と、台座を弾性変性させる可撓性とを兼ね備えた合成樹脂によって製造される。
【０００７】
特許文献７には、スマートフォンを支えていないときは、しおり及び定規として使用することができるスタンドが提案されている。特許文献７のスタンドは、長方形の枠体の中央にコ字状の切れ込みを入れて、舌片状の押さえ部を設けた構成となっている。押さえ部の先端には、一対の支持片が設けられる。枠体には、各支持片に対応する一対の爪が設けられる。また、枠体の一の長辺に沿って、定規のメモリが設けられる。スマートフォンは、横向きの状態で押さえ部と爪との間に挟持される。スマートフォンが挟持されていないときは、押さえ部と枠体との間に紙を挟み、しおりとして使用することができる。また、枠体の一の長辺に設けられた定規によって、直線を引いたり、長さを図ったりすることが可能である。このような特許文献７のスタンドは、爪及び支持片が変形しない程度の剛性と、枠体を弾性変性させる程度の可撓性とを兼ね備えた合成樹脂によって製造される。
【０００８】
特許文献８には、組立、展開が可能なスマートフォン用のスタンドが提案されている。特許文献８のスタンドの展開状態は、後面部、前面部及び底面部が連続する平板状となっている。展開状態のスタンドは、後面部と前面部との境界、及び前面部と底面部との境界をそれぞれ折り曲げて、後面部と底面部とを互いに結合させることによって、立体的な組立状態になる。このような特許文献８のスタンドは、補強用のリブを一体的に突出させるため、合成樹脂によって製造される。
【先行技術文献】
【特許文献】
【０００９】
【特許文献１】特開２０１６−１３１３０７号公報
【特許文献２】特開２０１６−０１９１４９号公報
【特許文献３】実用新案登録第３２０３６１７号公報
【特許文献４】実用新案登録第３１９６６６８号公報
【特許文献５】実用新案登録第３１９２１２９号公報
【特許文献６】実用新案登録第３１８５６４９号公報
【特許文献７】実用新案登録第３１８４８６６号公報
【特許文献８】実用新案登録第３１７４４３３号公報
【発明の概要】
【発明が解決しようとする課題】
【００１０】
＜スタンドの素材＞
従来のスマートデバイス用スタンドは、金属、合成樹脂又は木のいずれか一つ以上によって製造されることが一般的である。スマートデバイス用スタンドの素材として、金属、合成樹脂又は木が採用されるのは、簡単に壊れることなく、長期に亘って使用可能な耐久性をもたせるためである。このため、商品として市場に流通するスマートデバイス用スタンドの殆どが金属製、合成樹脂製又は木製である。近年、紙製のスマートデバイス用スタンドが、宣伝広告のための販促品として無料配布されるようになったが、商品として販売される紙製のスマートデバイス用スタンドは、その数は極めて少ない。
【００１１】
＜デザインの制限＞
金属、合成樹脂又は木は、デザインどおりの形状とするために加工を必要とする。例えば、金属を所望の形状とするには、打ち抜き、曲げ、切削等が必要である。合成樹脂を所望の形状とするには、金型による成形が必要である。木を所望の形状とするには、切断、切削、研磨等が必要である。このため、従来のスマートデバイス用スタンドの形状は、既存の設備で加工することが可能なデザインに制限される。
【００１２】
＜バリエーションの制限＞
金属製、合成樹脂製又は木製のスマートデバイス用スタンドは、せいぜい色違いのバリエーションがあるだけで、異なる形状のバリエーションを数多く設けることができなかった。形状が異なれば加工方法も異なり、全てバリエーションを含む商品シリーズの製造コストが高価になるからである。例えば、合成樹脂製のスマートデバイス用スタンドでは、異なる形状を成形するために異なる金型が必要になる。金属製及び木製のスマートデバイス用スタンドでは、異なる形状に加工するために異なる製造工程が必要になる。色違いの商品は、同じ金型、同じ製造工程を経て製造することができるが、色違いのバリエーションだけでは、多様化する需要者のニーズに応えることはできない。
【００１３】
＜リニューアルの制限＞
金属製、合成樹脂製又は木製のスマートデバイス用スタンドは、製造を開始するまでのイニシャルコストが高価である。このような経済的事情により、既存の商品の売れ行きが低迷した場合でも、直ちに商品のデザインをリニューアルすることは難しい。今後も、商品のライフサイクルは一層短縮化する傾向にあるが、従来のスマートデバイス用スタンドでは、短いサイクルで次から次へと新商品を市場に投入することは到底できない。
【００１４】
＜占有スペースの問題＞
金属製、合成樹脂製又は木製のスマートデバイス用スタンドは、折畳式又は組立式のものを除き、立体的な形状を有する。このため、商品を店頭に陳列するときに、幅、奥行及び高さの各方向にスペースを占有する。この結果、大量の商品在庫を店頭に陳列することができない。したがって、商品のバリエーションを数多く設け、且つバリエーションごとの商品在庫を大量に店頭に陳列することができない。なお、商品の占有スペースが問題になるのは、店頭に陳列する場合に限らない。嵩張る商品を人手によって大量に搬送することは困難である。このため、一人の需要者が、従来のスマートデバイス用スタンドを店頭で大量に購入することは期待できない。
【００１５】
＜製造工程及び製造コストの問題＞
金属、合成樹脂又は木は、長期に亘る商品の使用を可能とする耐久性を有する素材であるが、いずれも素材自体の単価が高い。また、金属、合成樹脂又は木を加工してスマートデバイス用スタンドを製造するには、完成までに複数の製造工程を経なければならない。デザインが複雑であったり、部品点数が多くなったりすれば、製造工程が必然的に多くなり、これに伴って、製造コストが高価になり、この結果、商品価格が高くなる。スマートデバイス用スタンドは、万人が使う日用品であり、商品価格が高くなるほど万人に売れなくなる。これでは、商品の大量販売は見込まれず、商品のバリエーションを数多く設けることなど到底できない。
【００１６】
＜紙の適用可能性＞
本出願人は、１９１０年の創業後、長年にわたり紙製のパッケージの研究開発及び製造を続けている。紙は、たとえ高級紙であっても、金属、合成樹脂又は木材のいずれよりも単価が安く、どのような形状にも容易に加工することができる。また、最先端の印刷技術を駆使すれば、紙には、どのようなデザインでも美しくフルカラー印刷することが可能である。したがって、スマートデバイスを支えるスタンドとして、長期にわたり使用可能な耐久性が得られれば、商品として十分な価値を備えた紙製のスマートデバイス用スタンドが実現するものと考える。さらに、紙製のスマートデバイス用スタンドによれば、上述した商品のデザイン、バリエーション及びリニューアルの制限、商品の占有スペース及びコストの全ての問題が解決され、大量生産及び大量販売の事業展開が可能になるものと考える。
【００１７】
＜本発明の目的＞
本発明のスマートデバイス用スタンドは、上記の問題点に鑑みてなされたものであり、下記の事項を目的とする。
・紙製でありながらスタンドとして長期にわたり使用可能な耐久性を有すること
・商品のデザインの自由度が高いこと
・デザインの異なる商品のバリエーションを数多く設けることができること
・商品のデザインを短いサイクルでリニューアルすることができること
・商品を簡単に製造することができ、迅速に市場に投入することが可能なこと
・商品の占有スペースが極めて小さいこと
・製造コスト及び商品価格を極めて安価にできること
【課題を解決するための手段】
【００１８】
（１）上記の目的を達成するために、本発明のスマートデバイス用スタンドは、スマートデバイスを支えるためのスタンドであって、厚さ０．８ｍｍ以上の板紙からなり、前記スマートデバイスの正面又は背面を支えるための主板と、前記スタンドの底面を構成する底板と、前記主板を背後から支えて傾斜した状態で立たせる支持板と、前記スマートデバイスの上部、下部、左側部又は右側部のうちの一か所が載置される載置板と、を含み、前記主板を基準に上下左右を定義した場合に、前記主板の下方には、前記底板が連続し、前記底板の下方には、前記支持板が連続し、前記支持板の下方には、前記載置板の基部が連続し、前記主板と前記底板との境界は、第１半切線によって画定され、前記底板と前記支持板との境界は、第２半切線によって画定され、前記第１及び第２半切線は、いずれも前記板紙の第１面上に形成され、前記載置板の基部は、前記載置板の他の部分よりも横幅が狭く、前記主板には、上部の横幅が広く下部の横幅が狭い、左右に段状輪郭を有する長孔が形成され、前記長孔の上部の横幅は、前記載置板の横幅よりも広く、前記長孔の下部の横幅は、前記載置板の基部の横幅とほぼ等しい構成としてある。
【００１９】
（２）好ましくは、上記（１）のスマートデバイス用スタンドにおいて、前記載置板が、前記載置板の中央に形成された第３半切線と、前記第３半切線を軸にして前記載置板の基部と対称的に設けられた第２基部と、前記第２基部の下方に連続し、前記第２基部よりも横幅の広い抜止板と、を含み、前記第３半切線が、前記板紙の第１面上に形成された構成にするとよい。
【００２０】
（３）好ましくは、上記（１）又は（２）のスマートデバイス用スタンドにおいて、前記長孔の左右の段状輪郭の頂部が、前記長孔の内側に向かって僅かに突出し、前記載置板の基部（又は前記載置板の基部及び第２基部）が、前記頂部を乗り越えて前記長孔の下部と結合する構成にするとよい。
【００２１】
（４）好ましくは、上記（１）〜（３）のいずれかのスマートデバイス用スタンドにおいて、前記主板の左右のいずれか一方に連続する補強板をさらに含み、前記補強板には、前記主板の長孔に対応する第２長孔が形成され、前記主板と前記補強板との境界は、第４半切線によって画定され、前記第４半切線が、前記板紙の第１面上に形成された構成にするとよい。
【００２２】
（５）好ましくは、上記（１）〜（４）のいずれかのスマートデバイス用スタンドにおいて、前記板紙が、厚さ０．８ｍｍ以上の単紙である構成にするとよい。
【００２３】
（６）好ましくは、上記（１）〜（４）のいずれかのスマートデバイス用スタンドにおいて、前記板紙が、厚さ０．８ｍｍ以上の合紙である構成にするとよい。
【００２４】
（７）好ましくは、上記（１）〜（６）のいずれかのスマートデバイス用スタンドにおいて、少なくとも前記主板の第１面にデザインが印刷された構成にするとよい。
【００２５】
（８）好ましくは、上記（７）のスマートデバイス用スタンドにおいて、少なくとも前記主板の輪郭形状が、前記主板の第１面に印刷されたデザインと関連性をもってデザインされた構成にするとよい。
【００２６】
（９）好ましくは、上記（８）のスマートデバイス用スタンドにおいて、前記主板の第１面に印刷されたデザインと、前記主板の輪郭形状とが一つのキャラクターデザインを構成するようにするとよい。
【００２７】
（１０）好ましくは、上記（９）のスマートデバイス用スタンドにおいて、前記主板の第１面に印刷されたデザインと、前記主板の輪郭形状と、前記補強板の第１面に施された印刷とが一つのキャラクターデザインを構成するようにするとよい。
【発明の効果】
【００２８】
＜組み立て＞
本発明のスマートデバイス用スタンドは、誰でも簡単に組み立てることが可能である。まず、第１半切線に沿って主板と底板とを山折りし、第２半切線に沿って底板と支持板とを山折りする。次いで、主板の長孔の上部に載置板を挿通させ、主板の長孔の下部に載置板の基部を結合させる。これでスマートデバイス用スタンドの組み立ては完了する。
【００２９】
＜耐久性＞
本発明のスマートデバイス用スタンドは、全体が厚さ０．８ｍｍ以上の板紙からなり、スタンドを構成する主板、底板、支持板及び載置板のそれぞれが、容易に変形しない強度を有する。また、主板と底板、底板と支持板、支持板と載置板がそれぞれ連続し、各部が分離しない一体性を有する。さらに、主板の長孔の下部よりも下の部分、底板及び支持板が、スタンドの側面から見て三角形状の基台を構成する。三角形状の基台は、荷重に対して変形しにくく、構造体としての強度が高い。そして、三角形状の基台の頂点には、主板の長孔の下部に結合された載置板の基部が位置する。この結果、三角形状の基台は、主板及び載置板に加えられるスマートデバイスの荷重を二方向に分散させて受け止める。以上の構成により、本発明のスマートデバイス用スタンドは、紙製でありながらスタンドとして長期にわたり使用可能な耐久性を発揮する。
【００３０】
また、載置板の中央に第３半切線を形成することにより、載置板を二重の板紙で構成することができる。この構成により、スマートデバイスの荷重を支える載置板の強度がさらに向上する。これに加え、載置板の基部が二重の板紙で構成され、基部の厚みが増すことにより、主板の長孔の下部との結合力が増大される。
【００３１】
さらに、長孔の左右の段状輪郭の頂部を、長孔の内側に向かって僅かに突出させた場合は、載置板の基部（二重の板紙で構成される場合を含む）が、頂部を乗り越えて長孔の下部と結合するようになり、載置板の基部との結合力がより増大される。
【００３２】
一方、主板の左右のいずれか一方に、第４半切線を介して補強板を連続して設けることができる。この構成により、スマートデバイスの正面又は背面が、主板及び補強板の二重の板紙で支えられ、スタンドの強度が大幅に向上する。
【００３３】
＜デザイン＞
本発明のスマートデバイス用スタンドは、印刷した板紙を打抜き加工することによって簡単に製造することができ、商品のデザインの自由度が極めて高い。すなわち、板紙の表裏には、どのようなデザインでも美しくフルカラー印刷することができる。また、打抜き加工によって、板紙の輪郭をどのような形状にも容易に加工することができる。さらに、印刷機及び打抜き機によるデザインの制限を受けることがない。
【００３４】
＜バリエーション＞
本発明のスマートデバイス用スタンドは、板紙の単価、イニシャルコスト及び製造コストがいずれも安価であるので、デザインの異なる商品のバリエーションを数多く設けることができる。すなわち、板紙の打抜き加工には、デザインに応じた抜き型が用いられる。抜き型は、木板の表面に鋼製の刃物を埋め込んだ構成になっており、樹脂成形の金型と比較して安価であり、短期間で容易に製造することができる。一方、板紙の印刷には、デザインに応じた版を用いる場合があるが、これもまた、樹脂成形の金型と比較して安価であり、短期間で容易に製版することができる。このため、本発明のスマートデバイス用スタンドは、製造を開始するまでのイニシャルコストが安価である。そして、本発明のスマートデバイス用スタンドは、印刷した板紙を打抜き加工して製造することができ、製造コストも安価である。商品のデザインが異なる場合でも、板紙の印刷及び加工の工程が変わらないので、製造コストはほとんど変動しない。したがって、本発明のスマートデバイス用スタンドの構成であれば、経済的事情に制限されることなく、デザインの異なる商品のバリエーションを数多く設けることが可能となる。
【００３５】
＜リニューアル＞
本発明のスマートデバイス用スタンドは、製造を開始するまでのイニシャルコストが安価であるので、商品のデザインを短いサイクルでリニューアルすることができる。上述したように、板紙を打抜き加工するための抜き型、及び板紙を印刷するための版は、樹脂成形の金型と比較して安価であり、短期間で容易に製造及び製版することができる。したがって、本発明のスマートデバイス用スタンドの構成であれば、経済的事情に制限されることなく、商品のデザインをリニューアルすることができ、短いサイクルで次から次へと新商品を市場に投入することが可能となる。
【００３６】
＜製造工程、市場投入＞
上述したように、本発明のスマートデバイス用スタンドは、印刷した板紙を打抜き加工して簡単に製造することができる。特に、第１〜第４半切線の全てを板紙の同一面上に形成する構成としたことにより、主板、長孔、底板、支持板、載置板、補強板、第２長孔、第１〜第４半切線からなるスタンド全体を、一回の打抜き加工で製造することが可能である。また、板紙を打抜き加工するための抜き型、及び板紙を印刷するための版は、いずれも短期間で容易に製造及び製版することが可能である。したがって、本発明のスマートデバイス用スタンドの構成であれば、商品を簡単に大量生産して、迅速に市場投入することが可能となる。
【００３７】
＜占有スペース＞
本発明のスマートデバイス用スタンドは、全体が厚さ０．８ｍｍ以上の板紙からなり、未組立のときは平面的な形態となる。このため、商品を店頭に陳列するときに、奥行方向のスペースを占有しない。この結果、大量の商品在庫を奥行方向に重ね合せて店頭に陳列することができる。したがって、本発明のスマートデバイス用スタンドの構成であれば、商品のバリエーションを数多く設け、且つバリエーションごとの商品在庫を大量に店頭に陳列することが可能となる。また、平面的な紙製の商品は、軽くて嵩張らず、大量の商品を重ね合せた状態にすれば、人手によって容易に搬送することができる。このため、一人の需要者が、本発明のスマートデバイス用スタンドを店頭で大量に購入することが大いに期待できる。
【００３８】
＜コスト＞
上述したように、本発明のスマートデバイス用スタンドは、板紙の単価、イニシャルコスト及び製造コストがいずれも安価であり、金属製、合成樹脂製又は木製のスマートデバイス用スタンドと比較して、商品価格を極めて安価にすることができる。
【図面の簡単な説明】
【００３９】
【図１】図１（ａ）、（ｂ）は、第１実施形態に係るスマートデバイス用スタンドの展開図である。図１（ｃ）は、主板に形成された長孔の拡大図である。
【図２】図２は、第１実施形態に係るスマートデバイス用スタンドの斜視図である。
【図３】図３は、第２実施形態に係るスマートデバイス用スタンドの展開図である。
【図４】図４は、第２実施形態に係るスマートデバイス用スタンドの斜視図である。
【図５】図５（ａ）は、第１実施形態に係るスマートデバイス用スタンドの主板のデザインの具体例を示す正面図であり、図５（ｂ）は、前記主板のデザインの具体例を示す背面図である。図５（ｃ）は、第２実施形態に係るスマートデバイス用スタンドの主板及び補強板のデザインの具体例を示す正面図である。
【発明を実施するための形態】
【００４０】
＜第１実施形態＞
まず、本発明の第１実施形態に係るスマートデバイス用スタンドについて、図１及び図２を参照しつつ説明する。図１は、未組立状態のスマートデバイス用スタンド１を示す。図２は、組立状態のスマートデバイス用スタンド１を示す。なお、以下の説明において、本実施形態のスマートデバイス用スタンド１の上下左右は、スタンドの正面を構成する主板１１を基準に定義する。
【００４１】
＜＜構成＞＞
図１（ａ）、（ｂ）に示すように、本実施形態のスマートデバイス用スタンド１は、主板１１、底板１２、支持板１３及び載置板１４の四つの部分を含む一枚の板紙からなる。板紙には、厚さ０．８ｍｍ以上、坪量６５０ｇ／ｍ２以上の単紙又は合紙を用いる。板紙の厚さを０．８ｍｍ以上とすることにより、スマートフォンやタブレット端末等のスマートデバイスを支えるための十分な強度が得られる。また、板紙の坪量を６５０ｇ／ｍ２以上とすることにより、スマートデバイス用スタンド１が適度な重量をもち、スタンドとしての十分な安定性が得られる。本実施形態では、板紙として、厚さ１．０ｍｍ、坪量７７０ｇ／ｍ２のインバーコート（登録商標）の単紙を用いている。インバーコート（登録商標）の単紙は、針葉樹のバージンパルプを主原料とし、強度が高く、白色度に優れている。
【００４２】
主板１１の下方には、底板１２が連続している。底板１２の下方には、支持板１３が連続している。支持板１３の下方には、載置板１４の基部１４ａが連続している。主板１１と底板１２との境界は、第１半切線ＨＣ１によって画定されている。底板１２と支持板１３との境界は、第２半切線ＨＣ２によって画定されている。載置板１４の中央には、第３半切線ＨＣ３が形成されている。第１〜第３半切線ＨＣ１〜ＨＣ３は、いずれも板紙の第１面（表面）から板厚の半分（０．５ｍｍ）に達し、第２面（裏面）には達していない。第１〜第３半切線ＨＣ１〜ＨＣ３が達していない板厚の残り０．５ｍｍの部分がヒンジの役割を果たし、主板１１、底板１２、支持板１３、及び載置板１４の下半分を、それぞれ第２面の側に折り曲げ可能としている。
【００４３】
図１（ａ）に示すように、主板１１には、上部１１１ａの横幅が広く下部１１１ｂの横幅が狭い、左右に段状輪郭を有する長孔１１１が形成されている。長孔１１１の上部１１１ａの横幅は、載置板１４の横幅（第３半切線ＨＣ３の全長と同じ）よりも広い。一方、長孔１１１の下部１１１ｂの横幅は、載置板１４の基部１４ａ及び第２基部１４ｂのそれぞれの横幅とほぼ等しい。
【００４４】
ここで、図１（ｃ）に示すように、長孔１１１の左右の段状輪郭の頂部１１１ｃは、長孔１１１の内側に向かって僅かに突出している。この構成により、載置板１４の基部１４ａ及び第２基部１４ｂが、頂部１１１ｃを乗り越えて、長孔１１１の下部１１１ｂと結合するようにしてある。
【００４５】
図１（ａ）に示すように、載置板１４の下半分は、第３半切線ＨＣ３をヒンジにして第２面の側に折り曲げられ、載置板１４の上半分と重なり合う。つまり、本実施形態の載置板１４は、二重の板紙で構成される。第２基部１４ｂは、第３半切線ＨＣ３を軸にして、基部１４ａと対称的に設けられている。第３半切線ＨＣ３をヒンジにして、載置板１４の下半分と上半分とを重ね合せたとき、第２基部１４ｂの横幅は、基部１４ａの横幅に一致する（図１（ｃ）を参照）。
【００４６】
また、第２基部１４ｂの下方には、長方形状の抜止板１４ｃが連続している。抜止板１４ｃの横幅は、第２基部１４ｂの横幅よりも広く、これと同様に長孔１１１の下部１１１ｂの横幅よりも広い。つまり、第２基部１４ｂを長孔１１１の下部１１１ｂに結合させたとき、抜止板１４ｃは、主板１１の第２面に当接して、第２基部１４ｂが長孔１１１の下部１１１ｂから抜けないようにする。
【００４７】
＜＜組み立て＞＞
まず、図１（ａ）、（ｂ）に示す板紙を、第１〜第３半切線ＨＣ１〜ＨＣ３に沿って折り曲げる。すなわち、第１半切線ＨＣ１に沿って、主板１１と底板１２とを山折りする。第２半切線ＨＣ２に沿って、底板１２と支持板１３とを山折りする。第３半切線ＨＣ３に沿って、載置板１４の下半分を山折りし、載置板１４の上半分と重ね合せる。
【００４８】
次に、二重にした載置板１４を、主板１１の長孔１１１の上部１１１ａに挿通させる。その後、載置板１４の基部１４ａ及び第２基部１４ｂを、主板１１の長孔１１１の下部１１１ｂに結合させる。これにより、図２に示すスマートデバイス用スタンド１の組み立てが完了する。
【００４９】
図２に示す組立状態において、主板１１は、スマートデバイス用スタンド１の正面を構成する。底板１２は、スマートデバイス用スタンド１の底面を構成する。支持板１３は、主板１１を背後から支えて傾斜した状態で立たせる。載置板１４には、図示しないスマートデバイスの上部、下部、左側部又は右側部のうちの一か所が載置される。このスマートデバイスの正面又は背面は、主板１１によって支えられる。
【００５０】
ここで、主板１１の長孔１１１の下部１１１ｂよりも下の部分、底板１２及び支持板１３が、スマートデバイス用スタンド１の側面から見て三角形状の基台を構成する。三角形状の基台は、荷重に対して変形しにくく、構造体としての強度が高い。そして、三角形状の基台の頂点には、主板１１の長孔１１１の下部１１１ｂに結合された載置板１４の基部１４ａ及び第２基部１４ｂが位置する。この結果、三角形状の基台は、主板１１及び載置板１４に加えられるスマートデバイスの荷重を二方向に分散させて受け止める。
【００５１】
＜第２実施形態＞
次に、本発明の第２実施形態に係るスマートデバイス用スタンドについて、図３及び図４を参照しつつ説明する。図３は、未組立状態のスマートデバイス用スタンド２を示す。図４は、組立状態のスマートデバイス用スタンド２を示す。なお、以下の説明において、第１実施形態のスマートデバイス用スタンド１と同様の部分については、同一の符号を付して詳細な説明は省略する。
【００５２】
＜＜構成＞＞
図３において、本実施形態のスマートデバイス用スタンド２は、主板１１の左側に連続する補強板１５をさらに含む。主板１１と補強板１５との境界は、第４半切線ＨＣ４によって画定されている。第４半切線ＨＣ４は、板紙の第１面（表面）から板厚の半分（０．５ｍｍ）に達し、第２面（裏面）には達していない。第４半切線ＨＣ４が達していない板厚の残り０．５ｍｍの部分がヒンジの役割を果たし、補強板１５を主板１１の第２面の側に折り曲げ可能としている。
【００５３】
補強板１５には、主板１１の長孔１１１に対応する第２長孔１１５が形成されている。主板１１の長孔１１１と同様に、第２長孔１１５は、上部１１５ａの横幅が広く下部１１５ｂの横幅が狭い、左右に段状輪郭を有する。但し、第２長孔１１５は、長孔１１１のよりも全体の寸法が大きく、長孔１１１に干渉しない。また、第２長孔１１５の下辺は、長孔１１１の下辺と同じ高さに形成されている。
【００５４】
＜＜組み立て＞＞
まず、図３に示す板紙を、第１〜第４半切線ＨＣ１〜ＨＣ４に沿って折り曲げる。すなわち、第１半切線ＨＣ１に沿って、主板１１と底板１２とを山折りする。第２半切線ＨＣ２に沿って、底板１２と支持板１３とを山折りする。第３半切線ＨＣ３に沿って、載置板１４の下半分を山折りし、載置板１４の上半分と重ね合せる。
【００５５】
さらに、本実施形態では、第４半切線ＨＣ４に沿って、補強板１５を山折りし、主板１１の第２面に重ね合せる。これにより、長孔１１１と第２長孔１１５とが連通し、且つ長孔１１１の下辺と第２長孔１１５と下辺とが一致する。
【００５６】
次に、二重にした載置板１４を、長孔１１１の上部１１１ａ及び第２長孔１１５の上部１１５ａに挿通させる。その後、載置板１４の基部１４ａ及び第２基部１４ｂを、長孔１１１の下部１１１ｂと、第２長孔１１５の下部１１５ｂとの両方に結合させる。これにより、図４に示すスマートデバイス用スタンド２の組み立てが完了する。
【００５７】
＜デザインの具体例＞
第１及び第２実施形態に係るスマートデバイス用スタンド１、２のデザインの具体例を図５（ａ）〜（ｃ）に示す。
【００５８】
第１実施形態のスマートデバイス用スタンド１は、主板１１、底板１２、支持板１３及び載置板１４の両面に、任意のデザインを印刷することが可能である。第２実施形態のスマートデバイス用スタンド２は、主板１１、底板１２、支持板１３、載置板１４及び補強板１５の両面に、任意のデザインを印刷することが可能である。印刷方法は、特に限定されるものではなく、オフセット印刷、デジタル印刷、グラビア印刷又は凸版印刷などの種々の印刷方法を適用することができる。また、主板１１、底板１２、支持板１３、載置板１４及び補強板１５の輪郭形状は、任意のデザインに打抜き加工することが可能である。
【００５９】
ここで、上述したデザインの印刷及び打抜き加工は、主板１１、底板１２、支持板１３、載置板１４及び補強板１５の全部又は一部に施してもよいが、少なくとも、主板１１の第１面にデザインを印刷し、主板１１の輪郭形状を任意のデザインに打抜き加工することが好ましい。主板１１の第１面は、スマートデバイス用スタンド１、２の外観において、最も見やすい正面を構成するものであり、美しくデザインすることで、需要者の購買意欲を喚起できるからである。
【００６０】
より好ましくは、主板１１の輪郭形状を、主板１１の第１面に印刷されたデザインと関連性をもってデザインするとよい。例えば、図５（ａ）に示すように、主板１１の第１面に印刷されたデザインと、主板１１の輪郭形状とで、一つのキャラクターデザインを構成してもよい。主板１１の第１面には、キャラクターの正面のデザインを印刷し、印刷したキャラクターデザインの輪郭形状に沿って主板１１を打抜き加工する。
【００６１】
図５（ｂ）に示すように、第１実施形態のスマートデバイス用スタンド１においては、主板１１の第２面に、キャラクターの背面のデザインを印刷してもよい。一方、図５（ｃ）に示すように、第２実施形態のスマートデバイス用スタンド２においては、補強板１５の第１面に、キャラクターの背面のデザインを印刷してもよい。
【００６２】
第１及び第２本実施形態のスマートデバイス用スタンド１、２は、印刷した板紙を打抜き加工して簡単に製造することができるので、多種多様なデザインのキャラクターを容易、迅速且つ安価に商品化することができる。
【００６３】
＜作用効果＞
上述した第１及び第２実施形態のスマートデバイス１、２は、以下に挙げる作用効果を奏する。
【００６４】
＜＜組み立て＞＞
本実施形態のスマートデバイス用スタンド１、２は、誰でも簡単に組み立てることが可能である。すなわち、図１及び図３に示す板紙を、第１〜第４半切線ＨＣ１〜ＨＣ４に沿って山折りし、主板１１の長孔１１１の下部１１１ｂに、載置板１４の基部１４ａ及び第２基部１４ｂを結合させることで、図２及び図４に示すスマートデバイス用スタンド１、２の組み立てが完了する。
【００６５】
＜＜耐久性＞＞
本実施形態のスマートデバイス用スタンド１、２は、全体が厚さ０．８ｍｍ以上の板紙からなり、スタンドを構成する主板１１、底板１２、支持板１３、載置板１４及び補強板１５のそれぞれが、容易に変形しない強度を有する。また、主板１１と底板１２、底板１２と支持板１３、支持板１３と載置板１４、補強板１５と主板１１がそれぞれ連続し、各部が分離しない一体性を有する。さらに、主板１１の長孔１１１の下部１１１ｂよりも下の部分、底板１２及び支持板１３が、スタンドの側面から見て三角形状の基台を構成する。三角形状の基台は、荷重に対して変形しにくく、構造体としての強度が高い。そして、三角形状の基台の頂点には、主板１１の長孔１１１の下部１１１ｂに結合された載置板１４の基部１４ａ及び第２基部１４ｂが位置する。この結果、三角形状の基台は、主板１１及び載置板１４に加えられるスマートデバイスの荷重を二方向に分散させて受け止める。以上の構成により、本実施形態のスマートデバイス用スタンド１、２は、紙製でありながらスタンドとして長期にわたり使用可能な耐久性を発揮する。
【００６６】
また、載置板１４の中央に第３半切線ＨＣ３を形成することにより、載置板１４を二重の板紙で構成することができる。この構成により、スマートデバイスの荷重を支える載置板１４の強度がさらに向上する。これに加え、載置板１４の基部（１４ａ、１４ｂ）が二重の板紙で構成され、基部（１４ａ、１４ｂ）の厚みが増すことにより、主板１１の長孔１１１の下部１１１ｂとの結合力が増大される。
【００６７】
さらに、長孔１１１の左右の段状輪郭の頂部１１１ｃを、長孔１１１の内側に向かって僅かに突出させた場合は、載置板１４の基部（１４ａ、１４ｂ）が、頂部１１１ｃを乗り越えて長孔１１１の下部１１１ｂと結合するようになり、載置板１４の基部（１４ａ、１４ｂ）との結合力がより増大される。
【００６８】
一方、主板１１の左側に、第４半切線ＨＣ４を介して、補強板１５を連続して設けたことにより、スマートデバイスの正面又は背面が、主板１１及び補強板１５の二重の板紙で支えられ、スタンドの強度が大幅に向上する。
【００６９】
＜＜デザイン＞＞
本実施形態のスマートデバイス用スタンド１、２は、印刷した板紙を打抜き加工することによって簡単に製造することができ、商品のデザインの自由度が極めて高い。すなわち、板紙の表裏には、どのようなデザインでも美しくフルカラー印刷することができる。また、打抜き加工によって、板紙の輪郭をどのような形状にも容易に加工することができる。さらに、印刷機及び打抜き機によるデザインの制限を受けることがない。
【００７０】
＜＜バリエーション＞＞
本実施形態のスマートデバイス用スタンド１、２は、板紙の単価、イニシャルコスト及び製造コストがいずれも安価であるので、デザインの異なる商品のバリエーションを数多く設けることができる。すなわち、板紙の打抜き加工には、デザインに応じた抜き型が用いられる。抜き型は、木板の表面に鋼製の刃物を埋め込んだ構成になっており、樹脂成形の金型と比較して安価であり、短期間で容易に製造することができる。一方、板紙の印刷には、デザインに応じた版を用いる場合があるが、これもまた、樹脂成形の金型と比較して安価であり、短期間で容易に製版することができる。このため、本実施形態のスマートデバイス用スタンド１、２は、製造を開始するまでのイニシャルコストが安価である。そして、本実施形態のスマートデバイス用スタンド１、２は、印刷した板紙を打抜き加工して製造することができ、製造コストも安価である。商品のデザインが異なる場合でも、板紙の印刷及び加工の工程が変わらないので、製造コストはほとんど変動しない。したがって、本実施形態のスマートデバイス用スタンド１、２の構成であれば、経済的事情に制限されることなく、デザインの異なる商品のバリエーションを数多く設けることが可能となる。
【００７１】
＜＜リニューアル＞＞
本実施形態のスマートデバイス用スタンド１、２は、製造を開始するまでのイニシャルコストが安価であるので、商品のデザインを短いサイクルでリニューアルすることができる。上述したように、板紙を打抜き加工するための抜き型、及び板紙を印刷するための版は、樹脂成形の金型と比較して安価であり、短期間で容易に製造及び製版することができる。したがって、本実施形態のスマートデバイス用スタンド１、２の構成であれば、経済的事情に制限されることなく、商品のデザインをリニューアルすることができ、短いサイクルで次から次へと新商品を市場に投入することが可能となる。
【００７２】
＜＜製造工程、市場投入＞＞
上述したように、本実施形態のスマートデバイス用スタンド１、２は、印刷した板紙を打抜き加工して簡単に製造することができる。特に、第１〜第４半切線ＨＣ１〜ＨＣ４の全てを板紙の同一面上に形成する構成としたことにより、主板１１、長孔１１１、底板１２、支持板１３、載置板１４、補強板１５、第２長孔１１５、第１〜第４半切線ＨＣ１〜ＨＣ４からなるスタンド全体を、一回の打抜き加工で製造することが可能である。また、板紙を打抜き加工するための抜き型、及び板紙を印刷するための版は、いずれも短期間で容易に製造及び製版することが可能である。したがって、本実施形態のスマートデバイス用スタンド１、２の構成であれば、商品を簡単に大量生産して、迅速に市場投入することが可能となる。
【００７３】
＜＜占有スペース＞＞
本実施形態のスマートデバイス用スタンド１、２は、全体が厚さ０．８ｍｍ以上の板紙からなり、未組立のときは平面的な形態となる。このため、商品を店頭に陳列するときに、奥行方向のスペースを占有しない。この結果、大量の商品在庫を奥行方向に重ね合せて店頭に陳列することができる。したがって、本実施形態のスマートデバイス用スタンドの構成であれば、商品のバリエーションを数多く設け、且つバリエーションごとの商品在庫を大量に店頭に陳列することが可能となる。また、平面的な紙製の商品は、軽くて嵩張らず、大量の商品を重ね合せた状態にすれば、人手によって容易に搬送することができる。このため、一人の需要者が、本実施形態のスマートデバイス用スタンド１、２を店頭で大量に購入することが大いに期待できる。
【００７４】
＜＜コスト＞＞
上述したように、本実施形態のスマートデバイス用スタンド１、２は、板紙の単価、イニシャルコスト及び製造コストがいずれも安価であり、金属製、合成樹脂製又は木製のスマートデバイス用スタンドと比較して、商品価格を極めて安価にすることができる。
【符号の説明】
【００７５】
１、２  スマートデバイス用スタンド
１１  主板
１１１  長孔
１１１ａ  上部
１１１ｂ  下部
１１１ｃ  段状輪郭の頂部
１２  底板
１３  支持板
１４  載置板
１４ａ  基部
１４ｂ  第２基部
１４ｃ  抜止板
１５  補強板
１１５  第２長孔
１１５ａ  上部
１１５ｂ  下部
ＨＣ１〜ＨＣ４  第１〜第４半切線
【図１】
2018113634.tif 000003
【図２】
2018113634.tif 000004
【図３】
2018113634.tif 000005
【図４】
2018113634.tif 000006
【図５】
2018113634.tif 000007